(57)【特許請求の範囲】
【請求項１】
縦長の箱状になるように形成された枠体のほぼ半分の高さに支承枠が設けられ、
前記支承枠の上に、耐火煉瓦を積み上げて炉室の右壁、奥壁、左壁、及び、天井が形成され、
固定側レールと摺動側レールとを組み合わせてなる左右一対の摺動機構の上に炉床枠が載置され、この上に耐火煉瓦を敷きつめて炉床が形成され、
前記炉床が、前記摺動機構により手前へ引き出し可能に、且つ、該引き出された状態のときその下に車椅子が進入可能な空間が出来る高さに位置付けられていることを特徴とする陶芸窯。
【発明の詳細な説明】
【０００１】
【発明の属する技術分野】
本発明は、陶芸窯その他、作品（物品）を加熱する窯に関する。
【０００２】
【従来の技術】
陶芸窯等の使用に当っては、加熱すべき作品の窯詰め作業が必要である。従来、この窯詰めは、人が入れる大きな窯では、作業者自身が窯の中へ入り、所望位置に作品を置いたり積み上げたりする形で作業が行なわれている。また、人が入れない大きさの窯では、作業者が腰を屈めて窯の中に上半身を進入させ腕を伸ばすなどして、所望の位置に作品を置いたり積み上げたりする形で作業が行なわれている。
【０００３】
【発明が解決しようとする課題】
しかし、上記腰を屈めて窯の中に上半身を進入させ腕を伸ばすというような姿勢は、車椅子使用者にとって非常に取り辛い姿勢である。
このため、従来、車椅子使用者は、上記窯詰めの作業を自分では行なうことができず、人に頼んで窯詰めをして貰うしかなかった。
【０００４】
本発明の目的は、上記従来技術の欠点を解消し、車椅子使用者でも、楽な姿勢で自ら窯詰め作業が出来る窯を提供することにある。
【０００５】
【課題を解決するための手段】
上記目的達成のため、本発明に係る陶芸窯は、炉床の下に摺動機構を配置することによって、炉床を手前に引き出し可能なように構成し、摺動機構として、固定側レールと摺動側レールとを組み合わせてなるものを採用したことを特徴としている。
【０００６】
【発明の実施の形態】
以下、本発明の詳細を図１〜図７に示す実施の形態例の陶芸窯１に基いて説明する。ここで、図１は陶芸窯１の正面を示す（扉２は開けた状態）。図２は陶芸窯１の平面を示す（扉２は閉めた状態）。図３は陶芸窯１の右側面を示す（扉２は閉めた状態）。図４は、図２Ａ−Ａ線に沿って切断した陶芸窯１の垂直断面を示し、同図（Ａ）は、炉床３を引き出した状態、同図（Ｂ）は、炉床３を収納した状態を示す（扉２は図示せず）。図５は、図３Ｂ−Ｂ線に沿って切断した陶芸窯１の水平断面を示し、同図（Ａ）は、炉床３を引き出した状態（扉２は開いた状態）、同図（Ｂ）は、炉床３を収納した状態を示す（扉２は図示せず）。図６は炉床３を中心に陶芸窯１の正面を拡大して示す。図７は、正面から見て左側の摺動機構４を取り出して拡大して示し、同図（Ａ）は摺動機構４の正面、同図（Ｂ）は摺動機構４の右側面、同図（Ｃ）は固定側レール６の右側面、同図（Ｄ）は摺動側レール７の右側面を示す。
【０００７】
これら図に於て、８は枠体である。枠体８は、アングル（等辺山形鋼）を素材として用い、縦長の箱状になるように形成されている。９は右壁、１０は奥壁、１１は左壁、１２は天井である。これらは、枠体８のほぼ半分の高さに設けられた支承枠１３の上に、耐火煉瓦を積み上げて形成されている。また、扉２の内面も耐火煉瓦で覆われている。なお、これら耐火煉瓦には継ぎ目があり実際の製品ではそれが視認されるが、ここでは図を見やすくするため、各壁９〜１１、天井１２、扉２内面について輪郭のみを示し、耐火煉瓦の継ぎ目は表示しない。但し、図６についは拡大して詳細を示すという意味があるので、耐火煉瓦の継ぎ目も表示した。
【０００８】
炉床３の下には、左右に摺動機構４が配置されている。これによって、炉床３は手前に引き出し可能である。摺動機構４は左右対称で、ここでは左側の摺動機構４を取り出して図７に示す。この図に示されるように、摺動機構４は、固定側レール６（図７（Ｃ））と、摺動側レール７（図７（Ｄ））とが、図７（Ａ）及び図７（Ｂ）に示すように組合わされて成る。
これら摺動機構４の上に炉床枠１４が載置され、この上に耐火煉瓦が敷きつめられ炉床３とされている。この炉床３についても、図６を除き耐火煉瓦の継ぎ目は表示しない。
【０００９】
炉床３は、単に引き出しが出来るだけでなく、所定の高さに位置付けられている。即ち図４（Ａ）に示すように、手前に引き出されたとき、その下に、車椅子が進入出来る空間ＳＰが出来る高さに位置付けられている。
【００１０】
実施の形態例の陶芸窯１は上述したような構造となっている。この陶芸窯の、車椅子使用者による使い方であるが、先ず、炉床３を手前に引き出す。そして、その下出来る空間ＳＰに車椅子を滑り込ませる。こうすれば、手を伸ばすだけで、炉床３の上に容易に作品を置いたり積み上げたりすることができる。その作業が終ったら、炉床３を収納位置に戻す。これで、車椅子使用者でも、極めて簡単に窯詰め作業が行なえる。
【００１１】
【発明の効果】
以上説明したように本発明では、炉床を、手前に引き出し可能に、且つ、該引き出された状態のときその下に車椅子が進入可能な空間が出来る高さに位置付けした。
従って、車椅子使用者でも、炉床を収納位置から手前に引き出し、その下に車椅子を滑り込ませれば、手を伸ばすだけで、炉床の上に作品を置いたり積み上げたりすることができ、そのあと、炉床を元の収納位置に戻すことで、窯詰め作業を容易に完了させることが出来る。
【００１２】
なお、その下に車椅子が進入可能としたときの炉床の上面の高さは、丁度、事務机の天板上面と同じ程度の高さとなる。この高さは、人が普通に立って作業をする、即ち腰を伸ばした状態で作業をするのに丁度良い高さである。従って、年配者など、腰を屈めることが苦手な人達にとっても使い易い窯となる。
また、一般の作業者にとっても腰を屈めないで作業が出来る分、使い易い窯となる。
【図面の簡単な説明】
【図１】実施の形態例の陶芸窯１を示す正面図（扉２は開けた状態）。
【図２】実施の形態例の陶芸窯１を示す平面図（扉２は閉めた状態）。
【図３】実施の形態例の陶芸窯１を示す右側面図（扉２は閉めた状態）。
【図４】図２Ａ−Ａ線に沿って切断した実施の形態例の陶芸窯１の垂直断面を示し、同図（Ａ）は、炉床３を引き出した状態を示す垂直断面図（扉２は図示せず）、同図（Ｂ）は、炉床３を収納した状態を示す垂直断面図（扉２は図示せず）。
【図５】図３Ｂ−Ｂ線に沿って切断した実施の形態例の陶芸窯１の水平断面を示し、同図（Ａ）は、炉床３を引き出した状態を示す水平断面図（扉２は開いた状態）、同図（Ｂ）は、炉床３を収納した状態を示す水平断面図（扉２は図示せず）。
【図６】実施の形態例の陶芸窯１の炉床３を中心とした拡大部分正面図。
【図７】正面から見て左側の摺動機構４を取り出し拡大して示すもので、同図（Ａ）は摺動機構４の正面図、同図（Ｂ）は摺動機構４の右側面図、同図（Ｃ）は固定側レール６の右側面図、同図（Ｄ）は摺動側レール７の右側面図。
【符号の説明】
１…陶芸窯                          ２…扉
３…炉床                            ４…摺動機構
６…固定側レール                    ７…摺動側レール
８…枠体                            ９…右壁
１０…奥壁                          １１…左壁
１２…天井                          １３…支承枠
１４…炉床枠
ＳＰ…炉床３の下の空間
【図１】
0004579469.tif 000002
【図２】
0004579469.tif 000003
【図３】
0004579469.tif 000004
【図４】
0004579469.tif 000005
【図５】
0004579469.tif 000006
【図６】
0004579469.tif 000007
【図７】
0004579469.tif 000008